(57)【要約】【課題】半導体レーザアレイから得られるレーザ光の品位を高め、高出力で安定なレーザ光を得る。【解決手段】本発明は、任意の発光部１０１から出射する光の速軸方向成分をコリメートレンズ１０２によりコリメートし、同光の遅軸方向成分を、前記発光部の間隔と同じピッチを持つコリメートレンズアレイ１０３によりコリメートし、速軸および遅軸の両方向ともにコリメートされた前記光を、少なくとも遅軸方向成分に関してビーム整形手段１０４および倍率変換手段１０５により、整形および倍率変換して所定の断面形状を与え、所定の断面形状が与えられた光を、集光レンズ１０６により集光することを特徴とする。【選択図】図１
2005107319.tif 000002
【特許請求の範囲】
【請求項１】
複数のレーザ発光部が活性層に沿って配列されたレーザアレイと、光ファイバとを光結合する光モジュールにおいて、
前記レーザアレイの各発光部から出射するレーザ光をそれぞれコリメートする第１の光学素子と、
前記活性層に沿った方向に配列した各コリメート光を活性層に垂直に配列させる機能を有する第２の光学素子と、
前記レーザ光の遅軸または速軸方向に対して所定の倍率変換を行う機能を有する第３の光学素子と、
前記第３の光学素子からのレーザ光を集光する第４の光学素子と、
を具備したことを特徴とする光モジュール。
【請求項２】
前記第２の光学素子は、前記レーザアレイから出射される前記レーザ光の速軸方向成分および遅軸方向成分のそれぞれに対して前記レーザ光の断面形状を所定の形状に整形するビーム整形手段を含むことを特徴とする請求項１記載の光モジュール。
【請求項３】
前記レーザアレイ及び前記第１、第２の光学素子を含む発光ユニットを複数備え、これら発光ユニットからの光を前記第４の光学素子の前段で合成する合成手段をさらに具備したことを特徴とする請求項１または２のいずれかに記載の光モジュール。
【請求項４】
複数のレーザ発光部が活性層に沿って配列されるレーザアレイの各発光部から出射するレーザ光をそれぞれコリメートする第１の光学素子と、
前記活性層に沿った方向に配列した各コリメート光を活性層に垂直に配列させる機能を有する第２の光学素子と、
前記レーザ光の遅軸または速軸方向に対して所定の倍率変換を行う機能を有する第３の光学素子と、
レーザ活性物質を添加した光ファイバと、
前記光ファイバの両端に設けられ、前記光ファイバにより生起された光を所定の強度まで増幅し、所定の強度を超えた光を外部へ出力可能な第１および第２のミラーと、
前記第３の光学素子からのレーザ光を集光して前記光ファイバへ入力させる第４の光学素子と、
を具備することを特徴としたファイバレーザ装置。
【請求項５】
前記第２の光学素子は、前記レーザアレイから出射される前記レーザ光の速軸方向成分および遅軸方向成分のそれぞれに対して前記レーザ光の断面形状を所定の形状に整形するビーム整形手段を含むことを特徴とする請求項４記載のファイバレーザ装置。
【請求項６】
Ｒ光、Ｇ光およびＢ光を出力する複数のレーザ装置と、
前記複数のレーザ装置からの各出力光を合成して白色光を出力する集光手段と、
前記集光手段から出射された前記白色光を映像信号に対応する映像情報に基づいて空間変調する空間変調素子と、
前記空間変調素子により空間変調された出力画像光を所定の位置に結像させる光学素子と、
を具備した映像表示装置において、
前記複数のレーザ装置の少なくとも１つは、複数のレーザ発光部が活性層に沿って配列されたレーザアレイの各発光部から出射するレーザ光をそれぞれコリメートする第１の光学素子と、前記活性層に沿った方向に配列した各コリメート光を活性層に垂直に配列させる機能を有する第２の光学素子と、前記レーザ光の遅軸または速軸方向に対して所定の倍率変換を行う機能を有する第３の光学素子と、前記レーザ光を集光する第４の光学素子とを具備した光モジュールを含むことを特徴とする映像表示装置。
【請求項７】
Ｒ光、Ｇ光およびＢ光を出力する複数のレーザ装置と、
前記複数のレーザ装置からの各出力光を合成して白色光を出力する集光手段と、
前記集光手段から出射された前記白色光を映像信号に対応する映像情報に基づいて空間変調する空間変調素子と、
前記空間変調素子により空間変調された出力画像光を所定の位置に結像させる光学素子と、
を具備した映像表示装置において、
前記複数のレーザ装置の少なくとも１つは、複数のレーザ発光部が活性層に沿って配列されたレーザアレイの各発光部から出射するレーザ光をそれぞれコリメートする第１の光学素子と、前記活性層に沿った方向に配列した各コリメート光を活性層に垂直に配列させる機能を有する第２の光学素子と、前記レーザ光の遅軸または速軸方向に対して所定の倍率変換を行う機能を有する第３の光学素子と、レーザ活性物質を添加した光ファイバと、前記光ファイバの両端に設けられ、前記光ファイバにより生起された光を所定の強度まで増幅し、所定の強度を超えた光を外部へ出力可能な第１および第２のミラーと、前記第３の光学素子からのレーザ光を集光して前記光ファイバへ入力させる第４の光学素子とを具備したファイバレーザ装置を含むことを特徴とする映像表示装置。
【請求項８】
複数のレーザ発光部が活性層に沿って配列されたレーザアレイの、各発光部から出射する光の速軸方向成分をコリメートレンズによりコリメートし、
前記各発光部から出射する光の遅軸方向成分を、前記発光部の間隔と同じピッチを持つコリメートレンズアレイによりコリメートし、
速軸および遅軸の両方向ともにコリメートされた前記光を、速軸または遅軸のうち少なくとも一方向に関してビーム整形手段および倍率変換手段により、整形および倍率変換して所定の断面形状を与え、
所定の断面形状が与えられた光を、集光レンズにより光ファイバに入力することを特徴とする光結合方法。
【請求項９】
２以上のレーザアレイを有し、各レーザアレイの発光部から出射する光を、それぞれ前記コリメートレンズ及び前記コリメートレンズアレイによりコリメートするとともに、前記ビーム整形手段および倍率変換手段により整形および倍率変換して、前記光ファイバの前段で合成して前記光ファイバに入射することを特徴とする請求項８記載の光結合方法。
【発明の詳細な説明】
【技術分野】
【０００１】
この発明は、レーザアレイから出射する光を高効率及び高密度で光ファイバに光結合する光モジュール、この光モジュールを用いた光ファイバレーザ装置、この光ファイバレーザ装置を用いた映像表示装置に関する。
【背景技術】
【０００２】
複数のエミッタ（発光点）を配列した半導体レーザアレイは高出力のレーザ光を得ることが可能であるため、様々に利用されている。
【０００３】
しかしながら半導体レーザは、活性層に垂直な速軸と水平な遅軸とでエミッタの幅が非対称であること、またビームの広がりも非対称であることから、微小なサイズに集光することが困難であった。なお、半導体レーザアレイでは、複数のエミッタを配列していることからより困難となっている。
【０００４】
このような背景から、半導体レーザアレイから出射する光を集光するため、各エミッタから出射する光をそれぞれコリメートするレンズアレイと、そのレーザ光を集光する集光レンズから構成される光学系が特許文献１に開示されている。
【特許文献１】特開平１１−１７２６８号公報
【発明の開示】
【発明が解決しようとする課題】
【０００５】
しかしながら、特許文献１に記載された発明は、レンズアレイ及び集光レンズを組み合わせただけであるため、集光されたビーム形状は半導体レーザアレイの発光部がそのまま反映されるためストライプ状になり、またスポットサイズおよび集光角度も非対称になってしまう。そのため、対称性のある光ファイバとの光結合性は低くなる。
【課題を解決するための手段】
【０００６】
この発明は、複数のレーザ発光部が活性層に沿って配列されたレーザアレイと、光ファイバとを光結合する光モジュールにおいて、前記レーザアレイの各発光部から出射するレーザ光をそれぞれコリメートする第１の光学素子と、前記活性層に沿った方向に配列した各コリメート光を活性層に垂直に配列させる機能を有する第２の光学素子と、前記レーザ光の遅軸または速軸方向に対して所定の倍率変換を行う機能を有する第３の光学素子と、前記第３の光学素子からのレーザ光を集光する第４の光学素子と、を具備したことを特徴とする光モジュールを提供するものである。
【０００７】
また、この発明は、複数のレーザ発光部が活性層に沿って配列されるレーザアレイの各発光部から出射するレーザ光をそれぞれコリメートする第１の光学素子と、前記活性層に沿った方向に配列した各コリメート光を活性層に垂直に配列させる機能を有する第２の光学素子と、前記レーザ光の遅軸または速軸方向に対して所定の倍率変換を行う機能を有する第３の光学素子と、レーザ活性物質を添加した光ファイバと、前記光ファイバの両端に設けられ、前記光ファイバにより生起された光を所定の強度まで増幅し、所定の強度を超えた光を外部へ出力可能な第１および第２のミラーと、前記第３の光学素子からのレーザ光を集光して前記光ファイバへ入力させる第４の光学素子と、を具備することを特徴としたファイバレーザ装置を提供するものである。
【０００８】
さらに、この発明は、Ｒ光、Ｇ光およびＢ光を出力する複数のレーザ装置と、前記複数のレーザ装置からの各出力光を合成して白色光を出力する集光手段と、前記集光手段から出射された前記白色光を映像信号に対応する映像情報に基づいて空間変調する空間変調素子と、前記空間変調素子により空間変調された出力画像光を所定の位置に結像させる光学素子と、を具備した映像表示装置において、前記複数のレーザ装置の少なくとも１つは、複数のレーザ発光部が活性層に沿って配列されたレーザアレイの各発光部から出射するレーザ光をそれぞれコリメートする第１の光学素子と、前記活性層に沿った方向に配列した各コリメート光を活性層に垂直に配列させる機能を有する第２の光学素子と、前記レーザ光の遅軸または速軸方向に対して所定の倍率変換を行う機能を有する第３の光学素子と、前記レーザ光を集光する第４の光学素子とを具備した光モジュールを含むことを特徴とする映像表示装置を提供するものである。
【０００９】
またさらに、この発明は、Ｒ光、Ｇ光およびＢ光を出力する複数のレーザ装置と、前記複数のレーザ装置からの各出力光を合成して白色光を出力する集光手段と、前記集光手段から出射された前記白色光を映像信号に対応する映像情報に基づいて空間変調する空間変調素子と、前記空間変調素子により空間変調された出力画像光を所定の位置に結像させる光学素子と、を具備した映像表示装置において、前記複数のレーザ装置の少なくとも１つは、複数のレーザ発光部が活性層に沿って配列されたレーザアレイの各発光部から出射するレーザ光をそれぞれコリメートする第１の光学素子と、前記活性層に沿った方向に配列した各コリメート光を活性層に垂直に配列させる機能を有する第２の光学素子と、前記レーザ光の遅軸または速軸方向に対して所定の倍率変換を行う機能を有する第３の光学素子と、レーザ活性物質を添加した光ファイバと、前記光ファイバの両端に設けられ、前記光ファイバにより生起された光を所定の強度まで増幅し、所定の強度を超えた光を外部へ出力可能な第１および第２のミラーと、前記第３の光学素子からのレーザ光を集光して前記光ファイバへ入力させる第４の光学素子とを具備したファイバレーザ装置を含むことを特徴とする映像表示装置を提供するものである。
【００１０】
さらに、この発明は、複数のレーザ発光部が活性層に沿って配列されたレーザアレイの、各発光部から出射する光の速軸方向成分をコリメートレンズによりコリメートし、前記各発光部から出射する光の遅軸方向成分を、前記発光部の間隔と同じピッチを持つコリメートレンズアレイによりコリメートし、速軸および遅軸の両方向ともにコリメートされた前記光を、速軸または遅軸のうち少なくとも一方向に関してビーム整形手段および倍率変換手段により、整形および倍率変換して所定の断面形状を与え、所定の断面形状が与えられた光を、集光レンズにより光ファイバに入力することを特徴とする光結合方法である。
【発明の効果】
【００１１】
この発明によれば、半導体レーザアレイから得られるレーザ光の品位を高め、高出力で安定なレーザ光が得られる。また、光ファイバへの光結合の効率が高められるので、従来と同一出力のレーザ光を得ようとすれば光モジュールが小型化できる。さらに、この発明を映像表示装置に組み込むことで、映像表示装置の小型化が可能となる。
【発明を実施するための最良の形態】
【００１２】
以下、本発明の実施の形態について図面を参照しながら詳細に説明する。
【００１３】
図１は、この発明の実施の形態が適用される光モジュールの一例を示し、図１（ａ）は光モジュールのｘ−ｚ平面図、図１（ｂ）は光モジュールのｙ−ｚ平面図である。
【００１４】
本発明の光モジュール１００は、活性層に複数の発光点が配列されているモノリシック半導体レーザアレイ１０１、速軸（Ｆａｓｔ軸すなわちｙ軸）成分をコリメートするコリメートシリンドリカルレンズ１０２、遅軸（Ｓｌｏｗ軸すなわちｘ軸）成分をコリメートするコリメートシリンドリカルレンズアレイ１０３、ビーム整形プリズム１０４（第１および第２のビーム整形プリズム１０４ａ，１０４ｂ）、遅軸方向に曲率を持つビームエキスパンダー（第１および第２のシリンドリカルレンズ１０５ａ，１０５ｂ）ならびに集光レンズ１０６等を含み、集光レンズ１０６の焦点位置（出力端）で、光ファイバ１０７と光結合される（集光レンズ１０６の焦点位置でレーザ光を光ファイバ１０７に入力可能である）。
【００１５】
半導体レーザアレイ１０１は、例えば２μｍ×１００μｍのエミッタ（発光点）が０．５ｍｍピッチで活性層（詳述せず）に沿って、ｎ個（例えば５個）配列されている。
【００１６】
各エミッタからは、図２のようにｙ軸に対して半角３０°程度、ｘ軸に対して半角５°程度の広がり角でレーザ光が出射される。
【００１７】
半導体レーザアレイ１０１の各エミッタから出射したレーザ光は、速軸コリメートレンズ１０２によってｙ軸に対してコリメートされる。
【００１８】
速軸コリメートレンズ１０２によってコリメートされたレーザ光は、遅軸コリメートレンズアレイ１０３により、各エミッタから出射したレーザ光がｘ軸に対して、それぞれコリメートされる。なお、半導体レーザアレイ１０１の各エミッタが０．５ｍｍピッチで配列していれば、遅軸コリメートレンズアレイ１０３も０．５ｍｍピッチとすることで、各エミッタからのレーザ光をそれぞれコリメートできる。ｘ軸に対する広がり角が半角５°の場合には遅軸コリメートレンズアレイ１０２の焦点距離をｆ＿１０２とすると、ｘ軸方向のビーム幅ｗは    
ｗ＝２×ｆ＿１０２×ｓｉｎ（５°）    
で与えられ、この値がエミッタのピッチである０．５ｍｍを越えると隣り合うエミッタから出射されるレーザ光が重なってしまうため、２．８７ｍｍ以下が望ましい。以下は、遅軸コリメートレンズアレイの焦点距離を２．８７ｍｍとして説明する。
【００１９】
遅軸コリメートレンズアレイ１０３から出射された（アレイ１０３を通過した）光は、図３（ａ）のように活性層に沿った方向に配列する。各エミッタからのレーザ光は、ｙ軸方向に１ｍｍ、ｘ軸方向に０．５ｍｍの矩形形状となり、エミッタ数が５個であれば、それが５個活性層に沿った方向に配列した断面ビーム形状となる。
【００２０】
コリメートレンズ１０２およびコリメートレンズアレイ１０３によりコリメートされた帯状のレーザ光（図３（ａ））は、ビーム整形プリズム１０４ａにより図３（ｂ）のようにｙ軸方向に平行移動する。各レーザ光３ａ，３ｂ，３ｃ，３ｄ，３ｅはそれぞれ＋２ｍｍ、＋１ｍｍ、±０ｍｍ、−１ｍｍ、−２ｍｍだけ移動する。
【００２１】
次に、ビーム整形プリズム１０４ａから出射された（プリズム１０４ａを通過した）光は、ビーム整形プリズム１０４ｂにより図３（ｃ）のようにｘ軸方向に平行移動する。各レーザ光３ａ，３ｂ，３ｃ，３ｄ，３ｅはそれぞれ＋０．５０ｍｍ、＋０．２５ｍｍ、±０ｍｍ、−０．２５ｍｍ、−０．５０ｍｍだけ移動する。
【００２２】
次に、ビーム整形プリズム１０４ａおよび１０４ｂによりビーム整形されたレーザ光（図３（ｃ））は、微小なコア径の光ファイバ１０７に高い効率で入力（光結合）させるため、ビームエキスパンダー１０５（第１および第２のシリンドリカルレンズ１０５ａおよび１０５ｂ）により倍率変換を行う。例えば、シリンドリカルレンズ１０５ａ、１０５ｂの焦点距離が１：１０の比であれば、図３（ｃ）のビームはｘ軸方向に１０倍に広がり、図３（ｄ）のように５ｍｍ×５ｍｍの断面ビーム形状となる。
【００２３】
なお、図３（ａ）ないし（ｄ）は、光ファイバへ入射する際の入射角度に相当していて、ここまでの作用で対称に近い形で光ファイバへ入射することになる。
【００２４】
このようにビーム整形および倍率変換されたレーザ光を集光レンズ１０６により集光して、集光位置で光ファイバ１０７と光結合させる。例えば、集光レンズ１０６の焦点距離を１０ｍｍとする。スポットサイズは速軸シリンドリカルレンズ１０２、遅軸シリンドリカルレンズアレイ１０３、ビームエキスパンダー（第１および第２のシリンドリカルレンズ１０５ａおよび１０５ｂ）、集光レンズ１０６の組み合わせで決定される。それぞれの焦点距離をＦ＿１０２、Ｆ＿１０３、Ｆ＿１０５ａ，Ｆ＿１０５ｂ，Ｆ＿１０６とし、活性層のｘ軸およびｙ軸の大きさをＷｘ，Ｗｙとしたときの、スポットサイズのｘ軸およびｙ軸の大きさＳｘおよびＳｙは以下のようになる。
【００２５】
Ｓｘ＝Ｗｘ×（Ｆ＿１０６／Ｆ＿１０３）×（Ｆ＿１０５ａ／Ｆ＿１０５ｂ）    
Ｓｙ＝Ｗｙ×（Ｆ＿１０６／Ｆ＿１０２）    
上述した系の場合、スポットサイズは２０μｍ×３５μｍとなり、３０〜５０μｍ程度の微小なコア径を持つ光ファイバ１０７と効率良く光結合することが可能となる。
【００２６】
上記のような光学系を構成することで、半導体レーザアレイから出射される非対称なレーザ光が、スポットサイズが小さく、かつ入射角度およびスポットサイズに関して対称に近い形に変換されるため、微小なコア径の光ファイバとの光結合性を高めることが可能となる。
【００２７】
なお、上記例では遅軸方向に曲率をもつシリンドリカルレンズにより遅軸に対する倍率変換を行ってレーザ光を５ｍｍ×５ｍｍの断面ビーム形状としたが、速軸方向に曲率をもつシリンドリカルレンズにより速軸に対する倍率変換を行っても良い。その場合には、ビームエキスパンダーとして２つのシリンドリカルレンズの焦点距離の比を１０：１とすれば、レーザ光は０．５ｍｍ×０．５ｍｍの断面ビーム形状となり、集光レンズの焦点距離を１ｍｍとすることでスポットサイズおよび入射角度は上記例と等価となる。
【００２８】
なお、図４に示すように、図１により説明した光モジュール１００を２組用意し、それぞれからのレーザ光を、合成ミラー（偏光ビームスプリッタ）２０４で合成した後、集光レンズ２０１により光ファイバ１０７に入力（レンズ２０１で光ファイバに光結合）することで、光ファイバ１０７に入力されるレーザ光の強度を（ロス分を除いて）、概ね倍増できる。
【００２９】
この場合、光モジュール１００は、半導体レーザであるから、出力されるレーザ光の偏光の方向は、活性層の面方向と平行な方向が「Ｓ偏光」となる。従って、ミラー２０２により反射され、合成ミラー２０４に向けられるレーザ光の偏光の方向は、λ／２板（位相板）２０３により、合成ミラー２０４により反射される方向に変換されることはいうまでもない。
【００３０】
また、合成ミラーおよび光モジュールをさらに追加して、３以上の光モジュールからのレーザ光を合成することにより、さらに光強度を高めることができる。
【００３１】
図５は、図１（ａ）および（ｂ）で説明した光モジュールを励起光源に用いたファイバレーザ装置（アップコンバージョンレーザ）の一例を説明する概略図である。
【００３２】
図５において、光ファイバ４０１は、そのコアに、例えばＰｒ３＋／Ｙｂ３＋やＴｍ３＋等であるレーザ活性物質を添加したものである。
【００３３】
光ファイバ４０１の両端には、励起光源１００すなわち図１により説明した半導体レーザアレイ１０１により出射された励起光を透過して光ファイバ４０１に入力するとともに光ファイバ４０１で生起したレーザ光を反射する入力側ミラー（第１の反射素子）４０２と、光ファイバ４０１で生起したレーザ光を一部反射し、レーザ光の強度が所定強度よりも増幅された時点で出力する出力側ミラー（第２の反射素子）４０３が設けられている。
【００３４】
例えば、半導体レーザアレイ１０１（励起光源１００）からの励起光の波長を８３０〜８５０ｎｍ、光ファイバ４０１のコア内のレーザ活性物質をＰｒ３＋／Ｙｂ３＋、入力側ミラー４０２の特性を、波長８３０〜８５０ｎｍを全透過し波長６３５ｎｍを全反射とし、出力側ミラー４０３の特性を、波長６３５ｎｍを一部反射、とすると、光ファイバ４０１に入射した励起光がＰｒ３＋／Ｙｂ３＋に吸収され、６３５ｎｍの光が生起される。
【００３５】
発生した６３５ｎｍの光は、入力側ミラー４０２と出力側ミラー４０３と光ファイバ４０１とからなる共振器内で所定強度まで増幅され、出力側ミラー４０３から出力される。このようなアップコンバージョンによりレーザ光を得る場合には、高出力および高密度の励起光が必要になるので、図１により説明した光モジュールを利用することは特に効果的となる。また、図４で説明した通り、２以上のモジュールからのレーザ光を合成して用いることで、一層高出力の励起光が得られることはいうまでもない。
【００３６】
図６は、図１（あるいは図５）に示した光モジュールを光源に用いた映像表示装置の例を説明する概略図である。
【００３７】
図６に示す映像表示装置５００は、加法混色法によりカラー映像を表示させるための第１ないし第３の光源５０１（Ｒ光），５０２（Ｇ光）および５０３（Ｂ光）を有する。なお、それぞれの光源のうち少なくとも１つ、例えばＢ用の光源である５０３には、図１（あるいは図５）で説明したレーザ装置が用いられる。また、それぞれの光源の少なくとも１つに、図４で説明した高出力の光モジュールが用いてもよいことはいうまでもない。
【００３８】
各光源５０１ないし５０３により出力されたＲ光，Ｇ光およびＢ光は、それぞれに接続された光ファイバ５０４〜５０６によりレンズ５０８に案内され、平行光に変化されるとともに、合成される。従って、レンズ５０８を通過した光は、白色光となる。
【００３９】
レンズ５０８から出力される白色光は、映像入力端子５０９に入力された映像信号に基づいて液晶駆動手段５１０により駆動される液晶パネル５１１により空間変調（画像化）され、投射レンズ５１２により、スクリーン５１３に投影される。
【００４０】
なお、図６に示す投射形映像表示装置の光源としては、数Ｗ〜数十Ｗ程度の赤（Ｒ）、緑（Ｇ）、青（Ｂ）の光が要求されることから、これまでは装置全体の大きさを低減するために、出力が不足する例が見られたが、上述した本発明の光モジュールまたはファイバレーザ装置を用いることで、高出力でコンパクトな映像表示装置が実現できる。
【００４１】
また、図６に示した映像表示装置においては、赤（Ｒ）、緑（Ｇ）、青（Ｂ）の光を、レンズ５０８で平行光とする際に、各色の光を合成して白色光として、液晶パネル５１１に照射する例を示したが、赤（Ｒ）、緑（Ｇ）、青（Ｂ）の光のそれぞれに対して、独立に液晶パネルを設け、３つの色成分の画像を重ね合わせる映像表示装置の光源にも本発明の光モジュールまたはファイバレーザ装置が利用可能であることはいうまでない。
【００４２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除してもよい。
【図面の簡単な説明】
【００４３】
【図１】この発明の実施の形態が適用される光モジュールの一例を説明する概略図。
【図２】図１に示した光モジュールに組み込まれる半導体レーザアレイからのレーザ光が出射される状態を説明する概略図。
【図３】図１に示した光モジュールに組み込まれるビーム整形プリズムおよびビームエキスパンダーの作用を説明する概略図。
【図４】図１に示した光モジュールの別の実施の形態の一例を説明する概略図。
【図５】図１に示した光モジュールを励起光光源に用いたファイバレーザ装置（アップコンバージョンレーザ装置）の一例を説明する概略図。
【図６】この発明の実施の形態である光モジュールを光源に用いる映像表示装置の一例を説明する概略図。
【符号の説明】
【００４４】
１００…光モジュール（光源、励起光源）、１０１…半導体レーザアレイ（光源）、１０２…コリメートシリンドリカルレンズ（第１の光学素子）、１０３…コリメートシリンドリカルレンズアレイ（第１の光学素子）、１０４…ビーム整形プリズム（第２の光学素子）、１０５…ビームエキスパンダー（第３の光学素子）、１０６…集光レンズ（第４の光学素子）、１０７…光ファイバ、２０１…レンズ、２０２…ミラー、２０３…λ／２板（位相板）、２０４…合成ミラー、４０１…光ファイバ、４０２…入力側ミラー（第１の反射素子）、４０３…出力側ミラー（第２の反射素子）、５００…映像表示装置、５０１…レーザ装置（光源（Ｒ））、５０２…レーザ装置（光源（Ｇ））、５０３…レーザ装置（光源（Ｂ））、５０４，５０５，５０６…光ファイバ、５０８…レンズ、５０９…映像入力端子、５１０…液晶駆動手段、５１１…液晶パネル、５１２…投影レンズ、５１３…スクリーン。
【図１】
2005107319.tif 000003
【図２】
2005107319.tif 000004
【図３】
2005107319.tif 000005
【図４】
2005107319.tif 000006
【図５】
2005107319.tif 000007
【図６】
2005107319.tif 000008